(57)【要約】【課題】正規の情報確認者に対してのみ、安全に計測結果を提供することが可能な電力計測表示装置及びこれを備えた遮断器を提供する。【解決手段】電力線２の電流を計測する電流計測手段３２と、電力線２の電圧を計測する電圧計測手段３１と、電流計測手段３２及び電圧計測手段３１のそれぞれの計測値に基づいて電力量を計測する電力計測手段３６ａと、電流計測手段３２、電圧計測手段３１及び電力計測手段３６ａのそれぞれの計測値又はこれら計測値の解析結果を含む計測情報を作成する計測情報作成手段３６ｂと、計測情報作成手段３６ｂで作成された計測情報を暗号化する暗号化手段３６ｃと、暗号化手段３６ｃで暗号化された暗号化データを図形データに変換する変換手段３６ｄと、変換手段３６ｄで変換された図形データを表示する表示部３５とを備えたものである。【選択図】図２
2010078460.tif 000002
【特許請求の範囲】
【請求項１】
電力線の電流を計測する電流計測手段と、
前記電力線の電圧を計測する電圧計測手段と、
前記電流計測手段及び前記電圧計測手段のそれぞれの計測値に基づいて電力量を計測する電力計測手段と、
前記電流計測手段、前記電圧計測手段及び前記電力計測手段のそれぞれの計測値又はこれら計測値の解析結果を含む計測情報を作成する計測情報作成手段と、
該計測情報作成手段で作成された前記計測情報を暗号化する暗号化手段と、
該暗号化手段で暗号化された暗号化データを図形データに変換する変換手段と、
該変換手段で変換された図形データを表示する表示部と
を備えたことを特徴とする電力計測表示装置。
【請求項２】
前記暗号化手段は、鍵を設定する鍵設定手段と、該鍵設定手段で設定した鍵により前記計測情報を暗号化する暗号処理手段とを有することを特徴とする請求項１記載の電力計測表示装置。
【請求項３】
各種キーを有する入力部を備え、前記暗号化手段の前記鍵設定手段は、前記入力部から入力された入力データを前記鍵として設定することを特徴とする請求項２記載の電力計測表示装置。
【請求項４】
前記計測情報作成手段は、前記電力計測手段で計測された電力量に基づいて所定期間の電力積算量を前記計測情報として作成することを特徴とする請求項１乃至請求項３の何れかに記載の電力計測表示装置。
【請求項５】
前記電力線には複数の電気機器が接続されており、該複数の電気機器のうち、現在稼働中の電気機器を検出する稼働機器検出手段を備え、前記計測情報作成手段は、前記電力計測手段で計測された電力量が、予め設定された所定の電力使用量を超過した場合、そのときに稼働していた電気機器のリストを、前記稼働機器検出手段の検出結果に基づいて前記計測情報として作成することを特徴とする請求項１乃至請求項３の何れかに記載の電力計測表示装置。
【請求項６】
前記計測情報作成手段は、前記電力計測手段の計測値と前記稼働機器検出手段の検出結果とに基づいて、所定期間の電気機器別の電力使用状況に関する情報を前記計測情報として作成することを特徴とする請求項１乃至請求項３の何れかに記載の電力計測表示装置。
【請求項７】
前記電力使用状況に関する情報として、前記電気機器の前記所定期間内の使用積算時間を含むことを特徴とする請求項６記載の電力計測表示装置。
【請求項８】
前記表示部は、コレステリック液晶であることを特徴とする請求項１乃至請求項７の何れかに記載の電力計測表示装置。
【請求項９】
請求項１乃至請求項８の何れかに記載の電力計測表示装置を備え、前記電力線に所定電流以上の電流が流れた場合に、前記電力線を遮断することを特徴とする遮断器。
【発明の詳細な説明】
【技術分野】
【０００１】
本発明は、電力線に接続された電気機器の電力使用量を計測して表示する電力計測表示装置及びこれを備えた遮断器に関するものである。
【背景技術】
【０００２】
従来より、この種の電力計測表示装置として、電力計測値をそのまま数値で表示せず、図形データ（例えばＱＲコード）に変換して表示する技術があった（例えば、特許文献１参照）。この技術は、計測値を図形データに変換して表示することで、個人情報の保護等の観点から、正規の情報確認者以外の第三者に表示が目視されたとしても電力計測値が知られないようにしたものである。
【０００３】
また、従来より、電気機器の使用者に省エネルギに関するガイダンスを与えることを目的として、電気機器の電力使用量を遠方のセンタ装置で管理する技術が提案されている（例えば、特許文献２参照）。この技術では、電気機器自身が自己の電力使用量を計測し、計測結果を図形化して自己の表示部に表示している。そして、その表示された図形データを通信機器で読み取り、通信機器からセンタ装置に送信するようにしている。
【特許文献１】特開２００８−１０７２５０号公報（第３頁、図１）
【特許文献２】特開２００６−２７７６０１号公報（第７頁、図２）
【発明の開示】
【発明が解決しようとする課題】
【０００４】
特許文献１及び特許文献２のどちらも、計測結果を図形データに変換して表示している。しかしながら、表示された図形データの読み取りには、カメラ付き携帯電話に一般的に備えられているバーコード読み取り機能を用いることが想定されている。したがって、カメラ付き携帯電話を使用することにより、第三者に簡単に電力使用量が知られてしまうという問題があった。
【０００５】
本発明はこのような点に鑑みなされたもので、正規の情報確認者に対してのみ、安全に計測情報を提供することが可能な電力計測表示装置及びこれを備えた遮断器を提供することを目的とする。
【課題を解決するための手段】
【０００６】
本発明に係る電力計測表示装置は、電力線の電流を計測する電流計測手段と、電力線の電圧を計測する電圧計測手段と、電流計測手段及び電圧計測手段のそれぞれの計測値に基づいて電力量を計測する電力計測手段と、電流計測手段、電圧計測手段及び電力計測手段のそれぞれの計測値又はこれら計測値の解析結果を含む計測情報を作成する計測情報作成手段と、計測情報作成手段で作成された計測情報を暗号化する暗号化手段と、暗号化手段で暗号化された暗号化データを図形データに変換する変換手段と、変換手段で変換された図形データを表示する表示部とを備えたものである。
【発明の効果】
【０００７】
本発明の電力計測表示装置によれば、正規の情報確認者のみが知り得る鍵で計測情報を暗号化し、その上で図形データに変換して表示するようにしたので、鍵を知り得ない第三者に計測情報が盗まれることない。すなわち、正規の情報確認者に対してのみ、安全に計測情報を提供することが可能となる。
【発明を実施するための最良の形態】
【０００８】
実施の形態１．
図１は、本発明の実施の形態１に係る電力計測表示装置を備えた分電盤システムの全体構成を示すブロック図である。
図１の分電盤システムは、電力会社からの単相３線の引込線１により供給された電力を住戸内の各部屋に分配するもので、分電盤１０を備えている。分電盤１０は、電流制限器２０と、本発明の電力計測表示装置３０と、漏電ブレーカ４０と、複数の分岐回路５０に対応して設けられた複数の分岐ブレーカ６０とを備えている。
【０００９】
電流制限器２０は、電力会社と住戸との契約アンペア以上の電流が流れた場合に各電気機器（例えば、エアコン、テレビ等）８０への電力線２を遮断するいわゆるサービスブレーカーである。電力計測表示装置３０は、電力線２の電流及び電圧を計測し、電力線２に接続された全ての電気機器８０による使用電流や使用電力量を計測して表示するものである。電力計測表示装置３０については後に詳述する。漏電ブレーカ４０は、漏電を感知した場合に電力線２を遮断するものである。
【００１０】
分岐ブレーカ６０から分電盤１０の外部へと引き出された電力線２にはレセプタクル７０が接続され、そのレセプタクル７０に電気機器８０の電源プラグ９０が接続される。また、図１において符号１００は、電力計測表示装置３０に表示された後述の図形データを撮影可能なカメラ付の携帯電話である。
【００１１】
図２は、図１の電力計測表示装置の電気的な構成を示すブロック図である。
電力計測表示装置３０は、電力線２の電圧を計測する電圧計測手段３１と、電力線２の電流を計測する電流計測手段３２と、電力計測表示装置３０内の各部に電源を供給する電源回路３３とを備えている。また更に、電力計測表示装置３０は、例えばテンキー等の入力キーで構成された入力部３４と、例えばコレステリック液晶で構成された表示部３５と、電力計測表示装置３０全体を制御するマイクロコンピュータ（以下、マイコンという）３６とを備えている。マイコン３６は、内部にＣＰＵと、ＣＰＵの制御プログラム等が格納されたＲＯＭと、ＣＰＵが当該制御プログラムの処理を実行する際に用いられるＲＡＭ（何れも図示せず）を備えており、ＣＰＵがＲＯＭに記憶された制御プログラムを実行することにより電力計測表示装置３０全体を制御する。
【００１２】
図３は、図１の電力計測表示装置の機能的な構成を示すブロック図である。
マイコン３６で構成された制御手段３６は、電圧計測手段３１及び電流計測手段３２のそれぞれで計測された計測値から電力量すなわち住戸内の全ての電子機器による総使用電力量を計測する電力計測手段３６ａと、計測情報作成手段３６ｂと、暗号化手段３６ｃと、変換手段３６ｄとを備えている。制御手段３６内の各手段は、マイコン３６内の制御プログラムとＣＰＵ（図示せず）とにより実現される。
【００１３】
計測情報作成手段３６ｂは、電圧計測手段３１、電流計測手段３２及び電力計測手段３６ａのそれぞれから計測値を受け取り、それぞれの計測値や、計測値を解析した解析結果等を含む計測情報を作成する。解析結果としては、所定期間（例えば１ヶ月）の電力積算量や、所定期間（例えば１ヶ月）の一日毎の電力使用量の履歴や、所定期間（例えば１ヶ月）の一日毎の最大電力使用量の履歴等がある。また更に、電力計測手段３６ａで計測された電力量が、予め設定した所定の電力使用量を超過した回数や、この超過回数が所定回数以上となった場合、その旨を通知するメッセージ等としてもよい。計測情報作成手段３６ｂで作成される計測情報は、これらに限られたものではなく、電圧計測手段３１、電流計測手段３２及び電力計測手段３６ａのそれぞれの計測値に基づくものであれば良い。
【００１４】
暗号化手段３６ｃは、計測情報作成手段３６ｂで作成された計測情報を暗号化するための鍵を設定する鍵設定手段３７と、設定された鍵で計測情報を暗号化する暗号処理手段３８とを有している。鍵の設定方法は任意であるが、例えば電力計測表示装置３０の保証書に鍵（ここでは例えば数字列）を記載しておき、記載された鍵を、正規の情報確認者であるユーザが入力部３４から入力する方法がある。他の方法としては、例えば、予め電力計測表示装置３０内に鍵を設定しておくようにしてもよい。この場合も、ユーザに鍵を知らせるために保証書に記載しておけば良い。何れにしろ、鍵は正規の情報確認者のみが知り得る情報である。
【００１５】
変換手段３６ｄは、暗号化手段３６ｃで暗号化された暗号化データを図形データに変換して表示部３５に出力して表示させる処理を行う。
【００１６】
図４は、携帯電話の機能的な構成を示すブロック図である。なお、図４には本発明に必要な構成のみを示している。
携帯電話１００は、マイコンで構成された制御手段１０１と、カメラ１０２と、ユーザが操作する入力部１０３と、各種表示を行う表示部１０４と、アプリケーションプログラム等を記憶する記憶部１０５と、データ通信を行うための通信部１０６とを備えている。記憶部１０５には、電力計測表示装置３０の表示部３５に表示された図形データをカメラ１０２により撮影した後、鍵を入力する入力画面を表示させ、入力された鍵が正しい場合に図形データを復号するアプリケーションプログラムが格納されている。制御手段１０１内の復号手段１０１ａは、そのアプリケーションプログラムとマイコン内のＣＰＵ（図示せず）とにより実現される。
【００１７】
このように構成された分電盤システムにおける電力計測表示装置３０の動作を以下に説明する。なお、ここでは、ユーザにより入力部３４から鍵が入力され、鍵設定手段３７に既に設定されているものとして説明する。
電力計測表示装置３０の電流計測手段３２及び電圧計測手段３１は、電力線２の電流及び電圧を計測して制御手段３６に出力している。制御手段３６の電力計測手段３６ａは、電流計測手段３２及び電圧計測手段３１からの計測値に基づいて電力量を計算し、制御手段３６に出力している。計測情報作成手段３６ｂには、電流計測手段３２、電圧計測手段３１及び電力計測手段３６ａのそれぞれの計測値が入力されており、これらのデータに基づいて計測情報を適宜作成し、暗号化手段３６ｃに出力する。ここで作成される計測情報は、上記の通りである。
【００１８】
暗号化手段３６ｃの暗号処理手段３８は、鍵設定手段３７に設定された鍵を用いて、計測情報作成手段３６ｂから入力された計測情報を暗号化し、変換手段３６ｄに出力する。変換手段３６ｄは、暗号化手段３６ｃから入力された暗号化データを図形データに変換して表示部３５に出力する。表示部３５は、変換手段３６ｄから入力された図形データを表示する。ここで、図形データとは、例えばバーコード（ＱＲコード等の二次元バーコード）等であり、以下ではＱＲコードの例を図示する。
【００１９】
図５は、表示部に表示された表示画面の一例を示す図である。
表示部３５の表示画面３５ａには、図５に示すような図形データ３９が表示される。このように表示部３５には、文字データではなく図形データを表示するため、第三者に計測値等が知られてしまうことがない。
【００２０】
そして、ユーザは、表示部３５に表示された図形データ３９を携帯電話１００のカメラ１０２により撮影する。すると、携帯電話１００の表示部１０４には鍵入力画面が表示されるため、ユーザは、電力計測表示装置３０の保証書に記載された鍵を入力部１０３から入力する。携帯電話１００の復号手段１０１ａは、入力された鍵が正しい場合、カメラ１０２で撮影した図形データを復号し、復号した計測情報を表示部１０４に表示する。ここで表示された計測情報は、文字や数値など、目視により内容が確認できる形式となっている。
【００２１】
このように実施の形態１によれば、計測値等の計測情報を正規の情報確認者のみが知り得る鍵で暗号化した上で図形データに変換して表示するようにしたので、鍵を知り得ない第三者に計測情報が知られることはない。すなわち、正規の情報確認者に対してのみ、安全に計測情報を提供することが可能となる。
【００２２】
また、表示部３５は図形データ３９を表示可能な大きさが有れば良いため、小型で安価に構成できる。また、表示部３５として本例ではコレステリック液晶を用いているが、コレステリック液晶は、一旦表示を行えば、その表示をキープするのに消費電力が不要な液晶である。このような特徴を有するコレステリック液晶を表示部３５に用いることにより、省エネに配慮した電力計測表示装置３０とすることができる。
【００２３】
また、本例では、図形データ３９の読み取りに際し、一般的なカメラ付の携帯電話を使用可能であり、図形データ３９の読み取り専用の機器等の特別な機器の用意が不要である。
【００２４】
なお、実施の形態１では、電力会社からの電力を分岐回路５０で分岐する前の電力線２に電力計測表示装置３０を取り付け、住戸内全体の電力使用量を計測する例を示したが、本発明の電力計測表示装置３０は必ずしも住戸内全体を計測対象としたものに限られない。例えば電力計測表示装置３０を、一つの電気機器内に組み込み、その電気機器の電力使用量を計測するようにしてもよい。要するに、本発明は計測情報を図形データに変換して表示するにあたり、暗号化する点に特徴を有するもので、計測対象に関しては特に限定するものではない。
【００２５】
実施の形態２．
図６は、実施の形態２の電力計測表示装置の機能的な構成を示すブロック図である。電力計測表示装置３０の電気的な構成及び分電盤システムの構成は図２及び図１と同様である。
実施の形態２は、図２に示した実施の形態１の電力計測表示装置３０の制御手段３６に、更に稼働機器検出手段３６ｅを備えたものである。その他の構成は図３に示した実施の形態１と同様である。
【００２６】
稼働機器検出手段３６ｅは、電力線２に接続された複数の電子機器のうち、現在稼働中の電気機器８０を検出する手段である。エアコンやテレビ等の電気機器８０の稼働中には、その電気機器８０が接続された電力線２の電流波形にその電気機器固有の固有電流波形（図１中のノイズイメージ）が加わる。稼働機器検出手段３６ｅは、この固有電流波形に基づいて、どの電気機器８０が稼働しているのかを検出するものである。このような稼働機器の検出は、具体的には例えば特許第3403368号公報等に示されるような従来公知の技術を採用して実現できる。稼働機器検出手段３６ｅは、このようにして検出した現在稼働中の電気機器８０の情報を計測情報作成手段３６ｂに出力する。
【００２７】
計測情報作成手段３６ｂには、電圧計測手段３１、電流計測手段３２及び電力計測手段３６ａのそれぞれの計測値に加え、更に稼働機器検出手段３６ｅの検出結果が入力され、それぞれの結果に基づいて計測情報を作成する。ここでは例えば、電力計測手段３６ａで計測された電力量が、予め設定された所定の電力使用量を超過した場合、そのときに稼働していた電気機器８０のリストを計測情報として作成する。これにより、電流制限器２０による電力線２の遮断が発生した場合、その原因（例えばエアコンとＩＨクッキングヒータとドライヤーとを同時に使用していたために電流制限器２０が落ちた）を確認することが可能となる。他には例えば、所定期間の電気機器８０別の電力使用状況（使用積算時間や、使用電力量、使用回数等）としてもよい。
【００２８】
このようにして作成された計測情報は、実施の形態１と同様に、暗号化手段３６ｃにより暗号化され、更に変換手段３６ｄで図形データに変換されて表示部３５に表示される。そして、表示部３５に表示された図形データを携帯電話１００で撮影・復号化して表示部１０４に表示する。
【００２９】
このように構成することにより、実施の形態１と同様の作用効果が得られるとともに、稼働中の電子機器の情報も計測情報により確認できるため、実施の形態１よりも更に多くの情報を安全にユーザに提供することが可能となる。
【００３０】
なお、実施の形態１及び実施の形態２では、携帯電話１００により図形データを撮影・復号化して表示部１０４に表示する例について説明したが、携帯電話１００では復号化せず、暗号化された図形データをそのまま通信部１０６からセンター装置（図示せず）に送信するようにしてもよい。この場合、図形データの復号はセンター装置側で行う。なお、センター装置とは、電力使用状況に関するデータを住戸から収集し、省エネのためのアドバイス等を行うための装置である。このようにセンター装置側で復号を行う場合には、電力計測表示装置３０からセンター装置に図形データを送信するに際し、自己電力計測表示装置３０を特定するシリアル番号等の識別データも送信するようにする。そして、センター側では、識別データと鍵とを対応付けたテーブルを予め保持しておき、電力計測表示装置３０からの識別データとテーブルとに基づき鍵を特定し、その鍵を用いて復号するようにすればよい。
【００３１】
実施の形態３．
実施の形態３は、実施の形態１又は実施の形態２の電力計測表示装置３０を備えた遮断器（電流制限器又は漏電ブレーカ）に関するものである。
【００３２】
図７は、実施の形態３の遮断器の外観斜視図である。図８は、図７の遮断器を有する分電盤システムの全体構成を示すブロック図である。図７及び図８において、図１及び図２と同一部分には同一符号を付す。また、図７及び図８には、遮断器としての電流制限器２００に電力計測表示装置３０を備えた構成を示している。また、図７の吹き出し部分には画面表示例を示しており、ここでは図形データと「ＱＲコード」という文字が表示された例を示している。
実施の形態３の電流制限器２００は、電力線２に所定電流以上の電流が流れた場合に、電力線２による電力の電気機器８０への供給を遮断する開閉手段２１と、実施の形態１又は実施の形態２の電力計測表示装置３０とを備えている。そして、図７に示すように電流制限器２００の筐体の表面に、電力計測表示装置３０の表示部３５が設けられている。
【００３３】
このように、電流制限器２００に電力計測表示装置３０を組み込んだ構成としてもよい。この場合、上記実施の形態１及び実施の形態２と同様の作用効果を有する電流制限器２００を得ることができる。
【００３４】
なお、この例では、電流制限器２００に電力計測表示装置３０を備えた構成を例示して説明したが、漏電ブレーカ４０に設けた構成としてもよい。本実施の形態３は、要は、遮断器に電力計測表示装置３０を組み込んだ構成を提案するものである。
【図面の簡単な説明】
【００３５】
【図１】本発明の実施の形態１に係る電力計測表示装置が接続された分電盤システムの全体構成を示すブロック図である。
【図２】図１の電力計測表示装置の電気的な構成を示すブロック図である。
【図３】図１の電力計測表示装置の機能的な構成を示すブロック図である。
【図４】図１の携帯電話の機能的な構成を示すブロック図である。
【図５】図１の電力計測表示装置における表示部の表示画面の一例を示す図である。
【図６】本発明の実施の形態２に係る電力計測表示装置の機能的な構成を示すブロック図である。
【図７】本発明の実施の形態３に係る遮断器の外観斜視図である。
【図８】図７の遮断器を有する分電盤システムの全体構成を示すブロック図である。
【符号の説明】
【００３６】
１  引込線、２  電力線、１０  分電盤、２０  電流制限器、２１  開閉手段、３０  電力計測表示装置、３１  電圧計測手段、３２  電流計測手段、３３  電源回路、３４  入力部、３５  表示部、３５ａ  表示画面、３６  マイコン（制御手段）、３６ａ  電力計測手段、３６ｂ  計測情報作成手段、３６ｃ  暗号化手段、３６ｄ  変換手段、３７  鍵設定手段、３８  暗号処理手段、３９  図形データ、４０  漏電ブレーカ、５０  分岐回路、６０  分岐ブレーカ、７０  レセプタクル、９０  電源プラグ、１００  携帯電話、１０１  制御手段、１０１ａ  復号手段、１０２  カメラ、１０３  入力部、１０４  表示部、１０５  記憶部、１０６  通信部、２００  電流制限器。
【図１】
2010078460.tif 000003
【図２】
2010078460.tif 000004
【図３】
2010078460.tif 000005
【図４】
2010078460.tif 000006
【図５】
2010078460.tif 000007
【図６】
2010078460.tif 000008
【図７】
2010078460.tif 000009
【図８】
2010078460.tif 000010